(57)【特許請求の範囲】
【請求項１】
ユーザの首が通される首回り部に連結部を有する上衣と、
前記連結部に対して着脱可能に連結される被連結部を有する涎掛けと、
を備え、
前記上衣の前身頃は、
前記上衣を着用したユーザの胸元に位置し、前記涎掛けを露出させる前衿ぐり部と、
前記前衿ぐり部に沿って設けられ、前記涎掛けの外周部を前から覆う覆い部と、
を有する、
涎掛け付き衣服。
【請求項２】
ユーザの首が通される首回り部に連結部を有する上衣と、
前記連結部に対して着脱可能に連結される被連結部を有する涎掛けと、
を備え、
前記上衣は、
表地と、
前記表地の裏側に設けられ前記連結部が固定された固定用裏地と、
を有する、
涎掛け付き衣服。
【請求項３】
ユーザの首が通される首回り部に連結部を有する上衣と、
前記連結部に対して着脱可能に連結される被連結部を有する涎掛けと、
を備え、
前記上衣の前身頃は、
前記上衣を着用したユーザの胸元に位置し、前記涎掛けを露出させる前衿ぐり部と、
前記前衿ぐり部に沿って設けられ、前記涎掛けの外周部を前から覆う覆い部と、
を有し、
前記上衣は、
表地と、
前記表地の裏側に設けられ前記連結部が固定された固定用裏地と、
を有する、
涎掛け付き衣服。
【請求項４】
前記上衣の後ろ身頃は、
前身頃の左右方向の一方側の肩部から他方側の腰部まで延びた第一布部と、
前見頃の左右方向の他方側の肩部から一方側の腰部まで延びた第二布部と、
が中間部で重なっており、
前記中間部同士は非接続である、
請求項１〜３のいずれか一項に記載の涎掛け付き衣服。
【請求項５】
前記第一布部及び前記第二布部の各々は、肩部から腰部に行くに従って、幅が広くなるように形成されている、
請求項４記載の涎掛け付き衣服。
【請求項６】
前記第一布部の幅方向の下側の縁と前記第二布部の幅方向の下側の縁との各々は、下方向に凸となるように湾曲している、
請求項４又は請求項５記載の涎掛け付き衣服。
【請求項７】
前記涎掛けは、
涎を受ける部分である受け部と、
前記上衣に対して取り付けられる部分であり、前記受け部の上端部に一体に形成されている取付け部と、が一体に形成されている、
請求項１〜６のいずれか一項に記載の涎掛け付き衣服。
【請求項８】
前記取付け部は、正面視略Ｕ字状に形成されており、着用の際、内周縁が首に沿い、
前記取付け部の先端同士を連結する接続部が取り付けられている、
請求項７に記載の涎掛け付き衣服。
【請求項９】
前記接続部は、前記取付け部の一対の先端部に複数取り付けられている、
請求項８に記載の涎掛け付き衣服。
【請求項１０】
前記連結部は上衣２の背面側に取り付けられている、
請求項１〜９のいずれか一項に記載の涎掛け付き衣服。
【請求項１１】
前記連結部又は前記被連結部の少なくともいずれか一方は、複数個所に設けられている、
請求項１〜１０のいずれか一項に記載の涎掛け付き衣服。
【請求項１２】
前記涎掛けには、食物を受ける容器部材が着脱可能に取り付けられる、
請求項１〜１１のいずれか一項に記載の涎掛け付き衣服。
【請求項１３】
前記連結部及び前記被連結部は、スナップボタンである、
請求項１〜１２のいずれか一項に記載の涎掛け付き衣服。
【請求項１４】
前記上衣は、チュニックである、
請求項１〜１３のいずれか一項に記載の涎掛け付き衣服。
【発明の詳細な説明】
【技術分野】
【０００１】
本発明は、涎掛け付き衣服に関する。
【背景技術】
【０００２】
従前より、例えば、脳性麻痺等の障がい者、老人、乳幼児等は、涎や、口からこぼれる飲食物等によって、衣服を汚すのを防ぐために、涎掛けを使用することがある（例えば、特許文献１参照）。涎掛けは、首から胸にかけて布を垂らし、衣服を覆うようにして取り付けられる。これにより、ユーザは、衣服が涎等によって汚れるの防ぐことができる。
【先行技術文献】
【特許文献】
【０００３】
【特許文献１】特開２００７−０６３７３１号公報
【発明の概要】
【発明が解決しようとする課題】
【０００４】
しかし、上述したように涎掛けは、衣服とは別に装着されて衣服を覆うものが多い（特に、スタイにあっては乳幼児向けのデザインが多い）。このため、ユーザによっては、涎掛けを使用することが不自然に見えることから、涎掛けを使用することに抵抗を感じていた。
【０００５】
このように、従来の涎掛けは、衣服とは別に装着されて、衣服を涎等から守る機能のみを重視したものが多いが、人目を気にしないで使用できる涎掛けの機能を持つ衣服は存在しない。
【０００６】
本発明は、上記事情に鑑みてなされ、涎掛けの機能を持つ衣服を提供することを目的とする。
【課題を解決するための手段】
【０００７】
本発明に係る一態様の涎掛け付き衣服は、ユーザの首が通される首回り部に連結部を有する上衣と、前記連結部に対して着脱可能に連結される被連結部を有する涎掛けと、を備える。
【発明の効果】
【０００８】
本発明に係る上記態様の涎掛け付き衣服は、涎掛けの機能を持つ衣服を提供することができる、という利点がある。
【図面の簡単な説明】
【０００９】
【図１】本発明の一実施形態に係る涎掛け付き衣服の正面図である。
【図２】同上の涎掛け付き衣服の分解斜視図である。
【図３】同上の涎掛け付き衣服における上衣の正面図である。
【図４】同上の上衣の背面図である。
【図５】同上の涎掛け付き衣服において、上衣に涎掛けを取り付ける際の斜視図である。
【図６】同上の涎掛け付き衣服における涎掛けの正面図である。
【図７】同上の涎掛け付き衣服における涎掛けの変形例の斜視図である。
【発明を実施するための形態】
【００１０】
（１）実施形態
【００１１】
以下、本実施形態に係る涎掛け付き衣服１について、詳細に説明する。
（１．１）全体
【００１２】
本実施形態に係る涎掛け付き衣服１は、例えば、病気、障がい等によって涎（よだれ）が出やすい者が着用する衣服である。涎掛け付き衣服１は、上衣２と、上衣２に対して着脱可能に取り付けられた涎掛け５と、を備えており、例えば、涎掛け５が汚れた場合、涎掛け５を上衣２から取り外して、別の涎掛け５に交換し、汚れた涎掛け５のみを洗濯することができる。
【００１３】
涎掛け付き衣服１は、例えば、障がい者、要介護者等によって着用されることを想定している。ここでいう「要介護者」とは、介助が必要な人を意味し、政令等で規定される「要介護者」に制限されない。すなわち、ここでいう「要介護者」には、例えば、若年者も含む。ただし、本発明に係る涎掛け付き衣服１のユーザは、障がい者又は要介護者に限らず、健常者であってもよい。また、ユーザは、女性に限らず、男性であってもよい。
（１．２）上衣
【００１４】
上衣２は、着用されると、少なくとも上半身を覆う衣服であり、下着よりも外側で、かつアウターウエアよりも内側に着用される。ここでいう「アウターウエア」は、必要に応じて、身体の最も外側に着用される衣服であり、例えば、コート、ジャンパー、ブルゾン、ジャケット、カーディガン等が挙げられる。上衣２は、本実施形態では、肩から腰までを覆う女性用衣服であるチュニックであるが、本発明では、肩から、例えば膝下までを覆うワンピースドレスであってもよい。上衣２は、図２に示すように、前身頃３と、後ろ身頃４と、を備える。
【００１５】
前身頃３は、図３に示すように、上衣２において前側の部分である。前身頃３は、首を通す開口の前側部分を構成する前衿ぐり部３１と、一対の前袖ぐり部３２と、を備える。前衿ぐり部３１は、前身頃３の中央の上端に形成されており、上衣２を着用したユーザの肩から胸元にかけて略Ｕ字状に連続している。前衿ぐり部３１は、ラウンドネック状に限らず、例えば、Ｖネック状、バトーネック（ボートネック）状、ヘンリーネック状、スクエアネック状、ドローストリングネック状等であってもよい。図１に示すように、涎掛け５が上衣２に取り付けられると、前衿ぐり部３１の上方から涎掛け５が露出する。
【００１６】
前身頃３において、前衿ぐり部３１に沿う部分は、涎掛け５における少なくとも外周部を前から覆う（以下、涎掛け５を覆う部分を「覆い部３３」という）。涎掛け５の外周部を含む部分を覆い部３３で覆い、かつ涎掛け５の上端部を含む部分を露出することによって、涎掛け５の機能を発揮しながらも、涎掛け５を目立たなくすることができる。
【００１７】
前袖ぐり部３２（図３）は、円弧状に形成されているが、直線状に形成されていてもよいし、略Ｌ字状に形成されてもよい。なお、上衣２は、ノースリーブ型でなくてもよく、半袖、長袖等、袖を有してもよい。
【００１８】
また、前身頃３は、図３に示すように、肩部３４と、腰部３５と、を備える。肩部３４は、ユーザが上衣２を着用した際に、ユーザの肩に位置する部分である。腰部３５は、ユーザが上衣２を着用した際に、ユーザの腰又は／及び脇腹に位置する部分である。前身頃３は、肩部３４及び腰部３５で後ろ身頃４につながっている。
【００１９】
後ろ身頃４は、図４に示すように、上衣２において後ろ側の部分である。後ろ身頃４は、第一布部４１と、第二布部４２と、が中間部４３で重なってクロスしている。そして、この中間部４３では、第一布部４１と第二布部４２とは、接続されていない（つまり、非接続である）。
【００２０】
第一布部４１は、前身頃３の左右方向の一方側（ここでは、右側）の肩部３４から他方側（ここでは左側）の腰部３５まで延びている。第二布部４２は、前身頃３の左右方向の他方側（ここでは、左側）の肩部３４から他方側（ここでは右側）の腰部３５まで延びている。第一布部４１及び第二布部４２の各々は、肩部３４から腰部３５に行くに従って、幅が広くなるように形成されている。第一布部４１の幅方向の下側の縁と第二布部４２の幅方向の下側の縁との各々は、下方向に凸となるように湾曲している。このため、ユーザが上衣２を着用して座った時に、後ろ身頃４が尻に敷かれることを防ぐことができる。また、首を通す部分を広くすることができるため、上衣２を前に引っ張ると、上衣２を下方にまで下げることができ、一時的にエプロンとして用いることもできる。さらに、座位の取り方又は姿勢によって脚の付け根部分に涎等が落ちるような状況において、エプロンとして用いるように前身頃３（上衣２）を下方に引っ張って使用すると、着ている上衣、ズボン又はスカートなどが涎等によって汚れるのを防ぐことができる。なお、第一布部４１は、第二布部４２よりも内側（身体側）に位置しているが、第二布部４２よりも外側に位置していてもよい。
【００２１】
ユーザが上衣２を着用するには、前袖ぐり部３２（図３）、肩部３４、第一布部４１（図４）及び第二布部４２（図４）で囲まれた開口２２から、外側に向かって腕を通す。このとき、第一布部４１と第二布部４２との各々は、前身頃３の左右方向のいずれかの肩部３４からその反対側の腰部３５まで延びており、かつ中間部４３が非接続であるため、ユーザは開口２２に腕を通しやすい。特に、ユーザが障がい者又は要介護者である場合、ユーザは思うように腕が動かないことがあるが、本実施形態に係る上衣２によれば、ユーザは、腕が通しやすいため、上衣２を着用しやすい。さらに、本実施形態に係る上衣２によれば、上述した腕のみではなく、首の開口に首も通しやすくなる。
【００２２】
また、上衣２には、図２に示すように、首回り部２５に、涎掛け５を取り付けるための複数の連結部２１が設けられている。連結部２１は、例えば、スナップボタン、ボタン穴にくぐらせて接続されるボタン、面ファスナー、ジッパー、差込み具等が挙げられるが、着脱のしやすさ、コスト及び肌との接触感等の観点から、スナップボタンであることが好ましい。スナップボタンは、プラスチック製又は金属製のいずれであってもよく、また、打ち付けタイプ又は縫い付けタイプのいずれであってもよい。
【００２３】
連結部２１は、図５に示すように、表地２３の裏側に取り付けられた固定用裏地２４に取り付けられる。本実施形態に係る固定用裏地２４は、連結部２１が設けられる部分に対応して、肩部３４の一部に設けられている。固定用裏地２４は、表地２３に対して、縁部のみが、縫合、溶着、接着等により固定されており、縁部以外の部分は表地２３に対して接続されていない。連結部２１が固定用裏地２４に取り付けられることで、連結部２１が上衣２の外側に現れて見栄えが損なわれるのを防ぐことができる。また、固定用裏地２４によれば、肩部３４の強度を向上させることができる。また、図４に示すように、連結部２１は、上衣２の背面側（肩部３４の少し後方側）に取り付けられている。詳述すると、連結部２１は上衣２の肩合わせから後方に１ｃｍ〜５ｃｍの位置に取り付けられているのが良く、好適には肩合わせから後方に２ｃｍの位置に取り付けられているのが良い。さらに、連結部２１は、肩部３４の幅方向の内側寄りに取り付けられている。このため、涎掛け５を上衣２の内側から外側に出して使用する場合、連結部２１の位置から涎掛け５が上衣２の重なりを乗り越える位置までの間の距離が長くなる。そうすると、涎掛け５の一部が、連結部２１の位置と涎掛け５が上衣２の重なりを乗り越える位置との間に形成されたスペースに入り込み、涎掛け５と上衣２との重なりによる干渉を前記スペースに逃がすことができ、皺ができにくくなる。また、連結部２１は、肩部３４の幅方向の内側寄りに取り付けられているため、肩部３４の幅方向の外側寄りに取り付けられている場合よりも、涎掛け５が上衣２の重なりを乗り越えやすくなり、涎掛け５と上衣２との重なりによる干渉を弱くすることができる。ひいては、涎掛け５を上衣２の内側から外側に出して使用する場合であっても、見た目に違和感のない衣服とすることができる。なお、連結部２１の位置から涎掛け５が上衣２の重なりを乗り越える位置までの間の距離が短いと、涎掛け５と上衣２との重なりによる干渉を前記スペースに逃がすことができないため、皺ができやすくなる。
【００２４】
ここでいう「首回り部２５」は、ユーザが上衣２を着用した際に、上衣２において首の周りに位置する部分を意味する。首回り部２５は、本実施形態では、肩部３４、前衿ぐり部３１、覆い部３３、第一布部４１の上端部及び第二布部４２の上端部が含まれる。
【００２５】
前身頃３及び後ろ身頃４の素材は、特に制限はなく、例えば、コットン、麻、ウール、カシミヤ、アルパカ、アンゴラ、モヘア、キャメル、シルク等の天然繊維、ナイロン、ポリエステル、ポリウレタン、アクリル、レーヨン、ポリノジック、キュプラ、リヨセル、アセテート等が挙げられる。
（１．３）涎掛け
【００２６】
涎掛け５は、ユーザの涎を受ける部材である。涎掛け５は、連結部２１に着脱可能に連結される被連結部５３を有しており、ユーザが容易に、涎掛け５を上衣２から取り外すことができる。涎掛け５は、図６に示すように、受け部５１と、取付け部５２と、が一体に形成されている。
【００２７】
受け部５１は、涎を受ける部分である。受け部５１は、正面視略矩形状に形成されている。受け部５１の上端部は、上述したように、前衿ぐり部３１から露出し、その他の部分（中央部及び下端部）は覆い部３３によって覆われる。したがって、受け部５１によって、ユーザの胸元を覆うことができる。
【００２８】
取付け部５２は、上衣２に対して取り付けられる部分であり、受け部５１の上端部に一体に形成されている。取付け部５２は、正面視略Ｕ字状に形成されており、着用の際、内周縁が首に沿う。取付け部５２の内周縁は、本実施形態では、ラウンドネック状に形成されているが、これに限らず、例えば、Ｖネック状、ヘンリーネック状、スクエアネック状、タートルネック状、ハイネック状等であってもよい。取付け部５２には、連結部２１に着脱可能に連結される被連結部５３と、取付け部５２の先端同士を連結する接続部５４と、が固定的に取り付けられている。
【００２９】
被連結部５３は、例えば、連結部２１が雄スナップボタンである場合、被連結部５３は雌スナップボタンであり、連結部２１がボタンである場合、被連結部５３はボタン穴であり、連結部２１がボタン穴である場合、被連結部５３はボタンである。要するに、被連結部５３は、連結部２１に対応するように形成されている。
【００３０】
接続部５４は、取付け部５２の一対の先端部に複数取り付けられている。接続部５４は、接続位置を調整可能に構成されており、例えば、一の雄ボタンと、複数の雌ボタンとで構成され、雄ボタンを、複数の雌ボタンのいずれかに選択的に接続することで、首の周囲の長さを調整することができる。接続部５４は、例えば、スナップボタン、ボタン穴にくぐらせて接続されるボタン、面ファスナー等で構成される。
【００３１】
図２に示すように、涎掛け５は、上衣２に対して被連結部５３が連結部２１に連結され、涎掛け付き衣服１の着用時に、首の後ろで接続部５４を接続することで装着される。これによって、ユーザは、着用時に涎掛け５のフィット感が得られる上に、連結部２１、被連結部５３及び接続部５４が目立たなく、涎掛け５を一見して分かりにくくすることができる。さらに、涎掛け５は首の後ろで接続されることで、首回りで保持されて位置決めされることになるが、この涎掛け５の被連結部５３が上衣２の連結部２１に連結されることにより、位置決めされた涎掛け５に連結された上衣２も位置決めされことになる。このため、肩部３４が肩からずれるのを防止できる。
【００３２】
また、涎掛け５は、前衿ぐり部３１の上方から上端部が露出し、その他の部分は覆い部３３によって覆われていて、涎掛け５と覆い部３３とは連結されていない。このため、通常時には涎によって上衣２が汚れるのを防ぐことができながらも、必要に応じて受け部５１を前衿ぐり部３１から引き出して口を拭うこともでき、状況に応じて涎掛け５を使い分けることができる。
【００３３】
涎掛け５の素材は、特に制限はないが、吸水しやすくかつ乾燥しやすい素材が好ましく、また、デザイン上の観点から上衣２と同じ素材であることが好ましい。また、涎掛け５の色は、特に制限はないが、デザイン上の観点から上衣２と同じ色であることが好ましい。涎掛け５の素材及び色を、上衣２と同じとすることで、涎掛け５を一層目立たなくすることができる。
（２）変形例
【００３４】
上記実施形態は、本発明の様々な実施形態の一つに過ぎない。実施形態は、本発明の目的を達成できれば、設計等に応じて種々の変更が可能である。以下、実施形態の変形例を列挙する。以下に説明する変形例は、適宜組み合わせて適用可能である。
【００３５】
上記実施形態に係る涎掛け５には、図７に示すように、食物等を受ける容器部材６２が着脱可能に取り付けられてもよい。涎掛け５の下端部には、容器部材６２を取り付けるための容器接続部６１が設けられる。容器接続部６１としては、例えば、スナップボタン、ボタン穴にくぐらせて接続されるボタン、面ファスナー、ジッパー、差込み具等が挙げられる。容器部材６２は、上方に開口した容器状に形成されていればよく、例えば、プラスチック、布、紙等によって形成される。
【００３６】
また、上記実施形態では、上衣２の連結部２１に対して涎掛け５の被連結部５３が取り付けられるが、本発明では、連結部２１を複数個所に設けて、上衣２に対する涎掛け５の取付け位置を調整することができるように構成されてもよい。また、連結部２１と被連結部５３との間に、別体の調整部材を設けて、涎掛け５の位置及びサイズ調整を行ってもよい。また、上記実施形態では、涎掛け５は、涎掛け付き衣服１の着用時に、首の後ろで接続部５４（例えば、スナップボタン等）を接続することで装着されるが、例えば、接続部５４，５４（スナップボタンとスナップボタン）の間に、別体の調整部材を設けて、涎掛け５の首回りサイズ調整をすることができるようにしてもよい。具体的には、この別体の調整部材は、例えば帯状であり、長さ方向の左右両端の各々に、接続部５４，５４と接続できるスナップボタン等が設けられている。別体の調整部材のスナップボタンを涎掛け５の接続部５４，５４に接続することにより、涎掛け５の首周りのサイズ調整をすることができ、首が太い人などにも適用できるようになる。
【００３７】
上記実施形態に係る連結部２１同士は、互いに接続できないが、本発明では、左右の連結部２１同士が接続できるように構成されてもよい。そうすることで、例えば、肩部３４同士をユーザの首又は腰などに巻き付けることができ、エプロンとして使用することも可能である。
（３）態様
【００３８】
以上説明したように、第１の態様に係る涎掛け付き衣服１は、ユーザの首が通される首回り部２５に連結部２１を有する上衣２と、連結部２１に対して着脱可能に連結される被連結部５３を有する涎掛け５と、を備える。
【００３９】
この態様によれば、通常時は衣服として用いることができながらも、仮に涎掛け５が汚れた場合には、涎掛け５を上衣２から取り外して、別の涎掛け５に交換し、汚れた涎掛け５のみを洗濯することができる。
【００４０】
第２の態様に係る涎掛け付き衣服１では、第１の態様において、上衣２の前身頃３は、上衣２を着用したユーザの胸元に位置し、前記涎掛け５を露出させる前衿ぐり部３１と、前衿ぐり部３１に沿って設けられ、涎掛け５の外周部を前から覆う覆い部３３と、を有する。
【００４１】
この態様によれば、通常時には、一見すると涎掛け５とはわからない態様で使用することができながらも、涎によって上衣２が汚れるのを防ぐことができ、また、必要に応じて涎掛け５を前衿ぐり部３１から引き出して口を拭うこともできる。この結果、例えば、障がい者等の衣服について、見た目に違和感のない衣服とすることができ、障がい者等のＱＯＬ(quality of life）を高めることができる。
【００４２】
第３の態様に係る涎掛け付き衣服１では、第１又は第２の態様において、上衣２は、表地２３と、表地２３の裏側に設けられ連結部２１が固定された固定用裏地２４と、を有する。
【００４３】
この態様によれば、連結部２１を目立たないようにできてデザインが損なわれるのを防ぐことができ、また、上衣２において涎掛け５が連結される部位を補強することができる。
【００４４】
第４の態様に係る涎掛け付き衣服１では、第１〜３のいずれか１つの態様において、上衣２の後ろ身頃４は、前身頃３の左右方向の一方側の肩部３４から他方側の腰部３５まで延びた第一布部４１と、前見頃の左右方向の他方側の肩部３４から一方側の腰部３５まで延びた第二布部４２と、が中間部４３で重なっており、この中間部４３同士は非接続である。
【００４５】
この態様によれば、ユーザが着用する際、腕及び首を通しやすくできる。
【００４６】
第５の態様に係る涎掛け付き衣服１では、第１〜４のいずれか１つの態様において、連結部２１及び被連結部５３は、スナップボタンである。
【００４７】
この態様によれば、上衣２に対して涎掛け５を着脱するのを容易にすることができる。
【００４８】
第６の態様に係る涎掛け付き衣服１では、第１〜５のいずれか１つの態様において、上衣２は、チュニックである。
【００４９】
この態様によれば、一見して涎掛け５があるように見えないようにしながら、涎掛け５機能を持つチュニックとすることができる。
【００５０】
第２〜第６の態様に係る構成については、涎掛け付き衣服１に必須の構成ではなく、適宜省略可能である。
【符号の説明】
【００５１】
１        涎掛け付き衣服
２        上衣
２１      連結部
２３      表地
２４      固定用裏地
２５      首回り部
３        前身頃
３１      前衿ぐり部
３３      覆い部
３４      肩部
３５      腰部
４        後ろ身頃
４１      第一布部
４２      第二布部
４３      中間部
５        涎掛け
５３      被連結部
【要約】
【課題】涎掛けの機能を持つ衣服を提供する。
【解決手段】涎掛け付き衣服１は、ユーザの首が通される首回り部２５に連結部２１を有する上衣２と、連結部２１に対して着脱可能に連結される被連結部５３を有する涎掛け５と、を備える。
【選択図】図２【図１】
0006708780.tif 000002
【図２】
0006708780.tif 000003
【図３】
0006708780.tif 000004
【図４】
0006708780.tif 000005
【図５】
0006708780.tif 000006
【図６】
0006708780.tif 000007
【図７】
0006708780.tif 000008